(57)【要約】【課題】１つの釣竿でその長さを調整し、竿の調子も変化させ得るような釣竿を提供する。【解決手段】この釣竿の元竿１の穂先側に連結されるインロー芯１０は、穂先側の小径部分１０ｂとその竿元側の大径部分１０ａとの２段階構造となっている。小径部分１０ｂは穂先竿３の竿元側に嵌着し、大径部分１０ａは中竿２の竿元側に嵌着する。【選択図】      図２
2004208660.tif 000002
【特許請求の範囲】
【請求項１】
筒状の竿体をインロー芯を介して連結するインロー継ぎの釣竿であって、
第１嵌合部及び第２嵌合部が形成された嵌合雄部を有する第１インロー芯が穂先側端部に連結されている第１竿体と、
前記第１インロー芯の第１嵌合雄部に嵌着可能な嵌合雌部を竿元側端部に有し、第２インロー芯が穂先側端部に連結されている第２竿体と、
前記第２インロー芯及び前記第１インロー芯の第２嵌合部に嵌着可能な嵌合雌部を竿元側端部に有する第３竿体と、
を備える釣竿。
【請求項２】
前記第１竿体の第１インロー芯は、小径部分と前記小径部分の竿元側において一段大径化している大径部分とを有し、前記第１嵌合部が前記大径部分であり、前記第２嵌合部が前記小径部分である、請求項１に記載の釣竿。
【請求項３】
前記第１竿体の第１インロー芯は、外周面が穂先側ほど徐々に小径化するテーパ面であり、その竿元側部分が前記第１嵌合部であり、その穂先側部分が前記第２嵌合部である、請求項１に記載の釣竿。
【発明の詳細な説明】
【０００１】
【発明の属する技術分野】
本発明は、筒状体である竿体を複数個連結して構成される釣竿において、特に、各竿体同士をインロー芯という継ぎ棒を介して連結する釣竿に関する。
【０００２】
【従来の技術】
従来の複数の竿体を連結してなる釣竿において、各竿体を連結する連結構造として「インロー継ぎ」と呼ばれる連結構造が提案されている。この「インロー継ぎ」とは、竿元側に配置される先細り筒状部材である第１竿体と、前記第１竿体の穂先側に配置される先細り筒状部材である第２竿体と、前記第１竿体及び第２竿体より小径で、前記第１竿体の穂先側に一端が挿入され、前記第２竿体の竿元側に他端が挿入されるインロー芯とを有している。このインロー芯に第２竿体を挿入して嵌着するのである（例えば、特許文献１や特許文献２等参照）。
【０００３】
このような「インロー継ぎ」では、第１竿体及び第２竿体に直接嵌合部を作成する必要がなく、小径の竿体同士を連結する場合等に有益である。そして、従来のインロー継ぎの釣竿では、連結部分の剛性の変化を抑え、若しくは、応力集中を抑える等のために、種々の工夫が施されてきた。
【０００４】
【特許文献１】
特開２０００−２７９０６３号公報（図１）
【０００５】
【特許文献２】
特開２０００−２９５９４６号公報（図２）
【０００６】
【発明が解決しようとする課題】
従来の「インロー継ぎ」式の釣竿では、１つの竿体に対して連結される他の竿体は決定されている。即ち、１つの竿体の穂先側に配置されるインロー芯の外径と、その穂先側に連結される他の竿体の竿元側端部内径とは、相互の嵌着のために「径あわせ」されており、情況に応じて異なる竿体を連結することはできない。
【０００７】
このため、釣竿の長さを調整し若しくは調子の異なる釣竿を利用したい場合には、釣人は複数の釣竿を用意しなければならなかった。釣り場において複数の釣竿を持ち運ぶのは煩雑であるし、釣竿自体を交換するには、リールや仕掛けなどをわざわざ複数用意する必要も生じる。
本発明の課題は、１つの釣竿でその長さを調整し、竿の調子も変化させ得るような釣竿を提供することにある。
【０００８】
【課題を解決するための手段】
発明１の釣竿は、筒状の竿体をインロー芯を介して連結するインロー継ぎの釣竿であって、第１嵌合部及び第２嵌合部が形成された嵌合雄部を有する第１インロー芯が穂先側端部に連結されている第１竿体と、第１インロー芯の第１嵌合雄部に嵌着可能な嵌合雌部を竿元側端部に有し、第２インロー芯が穂先側端部に連結されている第２竿体と、第２インロー芯及び第１インロー芯の第２嵌合部に嵌着可能な嵌合雌部を竿元側端部に有する第３竿体とを備える。
【０００９】
この釣竿では、以下のように各竿体を連結して釣りを行うことができる。第１の態様は第１竿体・第２竿体・第３竿体の順に連結するものである。ここでは、第１竿体の第１インロー芯の第１嵌合部に第２竿体の嵌合雌部を連結する。そして、第２竿体の第２インロー芯に第３竿体の嵌合雌部を連結する。第２の態様は第１竿体と第３竿体とを連結するものである。ここでは、第１竿体の第１インロー芯の第２嵌合部に第３竿体の嵌合雌部を連結する。このようにして、釣竿全体の長さを変化させ、また、竿体の調子を変化させることができる。
【００１０】
発明２の釣竿は、発明１の釣竿であって、第１竿体の第１インロー芯は、小径部分と小径部分の竿元側において一段大径化している大径部分とを有している。第１嵌合部がこの大径部分であり、第２嵌合部がこの小径部分である。
この釣竿では、第１インロー芯の大径部分に第２竿体の嵌合雌部を連結し、また、第１インロー芯の小径部分に第３竿体の嵌合雌部を連結することができる。第１インロー芯を段付きとすることで、第２竿体・第３竿体の嵌着部分が嵌着され、径調整などが用意である。
【００１１】
発明３の釣竿は、発明１の釣竿であって、第１竿体の第１インロー芯は、外周面が穂先側ほど徐々に小径化するテーパ面である。その竿元側部分が第１嵌合部であり、その穂先側部分が第２嵌合部である。
この釣竿では、第１インロー芯のテーパ面の径変化にあわせて所定の軸方向位置において第２竿体・第３竿体の嵌合雄部が嵌着する。第１インロー芯がテーパ状であり、第３竿体を直接第１インロー芯に嵌着させても、軸方向における剛性の変化などがなだらかである。
【００１２】
【発明の実施の形態】
［第１実施形態］
以下、本発明の第１実施形態について図面を参照しつつ説明する。
本発明の第１実施形態を採用した釣竿は、図１に示すように、元竿１と元竿１の穂先側に連結された中竿２と、中竿２の穂先側に連結された穂先竿３との３本の竿体を有している。ここでは、３本の竿体を連結する釣竿を例示しているが、これに限定されるものではなく、竿体の本数は任意に設定できる。
【００１３】
元竿１〜穂先竿３は、それぞれ炭素繊維に強化樹脂を含浸させたプリプレグをマンドレルに巻回し焼成して得られた先細り筒状部材である。なお、穂先竿３は、その竿元側部分を除いて、炭素繊維強化樹脂から形成される中実のソリッド部材としてもよい。この元竿１及び中竿２のそれぞれの連結部分にはインロー芯１０，１１が配置されており（図２参照）、各竿体はいわゆるインロー継ぎで連結されている。
【００１４】
元竿１は竿元側端部に配置された竿元グリップ４と、竿元グリップ４の穂先側に配置されリール５を脱着自在に装着可能なリールシート６と、リールシート６の穂先側に配置された前グリップ７とを有している。竿元グリップ及び前グリップ７はそれぞれウレタンゴム等の弾性体から構成される筒状体であり、元竿１の周面に接着等されている。釣人がこれらの部分を把持し若しくは腹部に当てるなどして釣り操作を行う。リールシート６は載置面，固定フード及び移動フードを有する。載置面にリール５の脚部を載置した上で、脚部の一端を固定フードに係止し移動フードを軸方向に移動させてリール５の脚部を挟持する。
【００１５】
図２及び図３に示すように、インロー芯１０は、各竿体と同様に炭素繊維等の強化繊維に合成樹脂を含浸させたプリプレグから形成される筒状部材であり、中空，中実の何れにしてもよい。竿元側の一部が元竿１の穂先側から挿入されて接着等によって元竿１に固定されている。インロー芯１０の穂先側（元竿１より穂先側に突出している部分）は、穂先側の小径部分（第２嵌合雄部）１０ｂとその竿元側の大径部分（第１嵌合雄部）１０ａとの２段構造となっている。後述のように、それぞれの外径は小径部分１０ｂが穂先竿３の竿元側の内径に、大径部分１０ａが中竿２の竿元側の内径に合致するように調整されている。これらの大径部分１０ａ，小径部分１０ｂの軸方向長さは、嵌着力を十分に維持するために、それぞれ連結する竿体の竿元側内径の３倍程度の長さとするのが好ましい。また、これら大径部分１０ａ及び小径部分１０ｂは軸方向においてその径が変化しないように設定してもよいが、竿元側ほど大径化するようなテーパ面としてもよい。このようなテーパ面とする場合には、大径部分１０ａに中竿２を十分に嵌着した際に中竿２の竿元側端部と元竿１との間に隙間（遊び）が生じるように径を設定するのがよい。小径部分１０ｂに穂先竿３を十分に嵌着した際も同様である。
【００１６】
中竿２は穂先側ほど小径化するような筒状体である。その外周面には複数の釣糸ガイド８が間隔を隔てて配置されており、リール５からの釣糸Ｌは順次釣糸ガイド８を介して穂先側に導かれる。この中竿２の穂先側にもインロー芯１１が装着される。インロー芯１１もインロー芯１０と同様に、炭素繊維等の強化繊維に合成樹脂を含浸させたプリプレグから形成される筒状部材である。竿元側の一部が中竿２の穂先側から挿入されて接着等によって中竿２に固定されている。このインロー芯１１はインロー芯１０と異なり２段構造とはなっていない。中竿２の穂先側に突出している部分の外径は、穂先竿３の竿元側の内径に合致するように設定される。
【００１７】
穂先竿３も中竿２と同様に穂先側ほど小径化するような筒状体であって、その外周面には複数の釣糸ガイド８が間隔を隔てて配置されている。また、穂先側端部にはトップガイド９が装着されている。リール５からの釣糸Ｌは順次釣糸ガイド８を介してトップガイド９に至る。
この釣竿では、以下のように２つの態様で各竿体を連結して釣りを行うことができる。
【００１８】
まず、第１の態様は元竿１・中竿２・穂先竿３の順に全ての竿体を連結するものである（図２参照）。ここでは、元竿１のインロー芯１０の大径部分１０ａを中竿２の竿元側端部に挿入して嵌着させる。そして、中竿２の穂先側に連結されているインロー芯１１を穂先竿３の竿元側端部に挿入して嵌着させる。第２の態様は元竿１と穂先竿３とを連結するものである（図３参照）。ここでは、元竿１のインロー芯１０の小径部分１０ｂを穂先竿３の竿元側端部に挿入して嵌着させる。このようにして、釣竿全体の長さを変化させ、また、竿体の調子を変化させることが可能となる。
【００１９】
［第２実施形態］
第２実施形態として、上述の第１実施形態の変形例を示す。
この釣竿も第１実施形態と同様に元竿１，中竿２，穂先竿３の３本の竿体より構成される。元竿１の穂先側端部にはインロー芯２１が、中竿２の穂先側端部には別のインロー芯（図示せず）が挿入され固定されている。
【００２０】
図４，５に示すように、インロー芯２１は、炭素繊維等の強化繊維に合成樹脂を含浸させたプリプレグから形成される筒状部材である。このインロー芯２１も中実・中空の何れの態様でもよい。竿元側の一部が元竿１の穂先側から挿入されて接着等によって元竿１に固定されている。元竿１の穂先側に突出している穂先側の部分は、穂先側ほど小径化するようなテーパ面となっている。インロー芯２１の外径は、穂先側部分が穂先竿３の竿元側端部に挿入可能且つ嵌着可能なように、竿元側部分が中竿２の竿元側端部に挿入可能且つ嵌着可能なように調整される。
【００２１】
このような釣竿においても、第１実施形態と同様に、２つの態様で釣竿を用いることが可能となる。即ち、元竿１の穂先側に中竿２，穂先竿３を順次連結する場合と、元竿１の穂先側に直接穂先竿３を連結する場合である。特に、インロー芯２１をテーパ面として段を形成しないので、釣竿の軸方向において連続的な剛性の変化を演出し易い。
【００２２】
［他の実施形態］
上記実施形態では、３本の竿体を用いる場合を例示している。しかし、これを４本以上の竿体に応用することも可能である。
例えば、元竿，第１中竿，第２中竿，穂先竿の４本の竿体から釣竿を構成する場合には、元竿の穂先側に連結されるインロー芯を２段構造ではなく３段構造として、穂先側から第１嵌合雄部，第２嵌合雄部，第３嵌合雄部とする。そして、第１嵌合雄部に穂先竿が、第２嵌合雄部に第２中竿が、第３嵌合雄部に第３中竿がそれぞれ嵌着可能とすればよい。
【００２３】
【発明の効果】
本発明に係る釣竿では、１つの釣竿でその長さを調整し、竿の調子も変化させることができる。釣人は、複数の釣竿を釣り場に用意してゆく必要が無くなる。
【図面の簡単な説明】
【図１】本発明の第１実施形態を採用した釣竿の全体図。
【図２】図１の釣竿における、元竿１と中竿２との連結部分の断面図。
【図３】図１の釣竿における、元竿１と穂先竿３との連結部分の断面図。
【図４】本発明の第２実施形態を採用した釣竿の図２に相当する図。
【図５】本発明の第２実施形態を採用した釣竿の図３に相当する図。
【符号の説明】
１  元竿
２  中竿
３  穂先竿
１０，１１，２１  インロー芯
【図１】
2004208660.tif 000003
【図２】
2004208660.tif 000004
【図３】
2004208660.tif 000005
【図４】
2004208660.tif 000006
【図５】
2004208660.tif 000007